(57)【要約】【課題】保温性のほか、より美しいヒップラインが確実、かつ、安定的に得られるパンティストッキングの提供。【解決手段】パンティストッキング１１におけるパンティ部１２は、股部１４を除く比較的広巾な下側全面領域をメッシュ編みの鼠径面側覆い部１５とし、該鼠径面側覆い部１５の上側前面領域を特殊パイル編みの腹面覆い部１６とし、同上側後面領域の縦方向での中心部を除く残余領域をヒップラインに沿わせた立体縫編みのヒップ面覆い部１７とし、これら腹面覆い部１６とヒップ面覆い部１７との各境界領域をタック編みの側面帯状部１８として形成した。ヒップ面覆い部１７は、その中心部をシーマミシン目と、該シーマミシン目の左右両側に並列させたタック編みの後面帯状部とで形成し、これら後面帯状部と側面帯状部１８の間に位置するヒップ面覆い部１７の周方向にシャーリング部２２を付設した。【選択図】図１
2004044004.tif 000002
【特許請求の範囲】
【請求項１】
周回配置されたバンド部をその上縁部に有するパンティ部と、該パンティ部の股部側から一体となって各別に延設された一対のストッキング部とからなるパンティストッキングにおいて、
前記パンティ部は、前記股部を除く比較的広幅な下側全面領域をマイクロメッシュ編み組織からなる鼠径面側覆い部とし、
該鼠径面側覆い部の上側前面領域を特殊パイル編み組織からなる腹面覆い部とし、
同上側後面領域の縦方向での中心部を除く残余領域をヒップラインに沿わせた立体縫編み組織からなるヒップ面覆い部とし、
これら腹面覆い部とヒップ面覆い部との各境界領域をタック編み組織からなるの側面帯状部とするとともに、
ヒップ面覆い部の前記中心部をシーマミシン目と、該シーマミシン目の左右両側に並列させたタック編み組織からなる後面帯状部とで形成し、
これら後面帯状部と前記側面帯状部の間に位置する前記ヒップ面覆い部の周方向にシャーリング部を付設したことを特徴とするパンティストッキング。
【請求項２】
前記パンティ部の上縁部は、後端側の位置が前端側の位置よりも高くなるように前傾させた傾斜を付与して形成した請求項１に記載のパンティストッキング。
【請求項３】
一対の前記ストッキング部は、それぞれの踵部と爪先部とを透明感に優れたナイロン生糸により編成した請求項１または２に記載のパンティストッキング。
【発明の詳細な説明】
【０００１】
【発明の属する技術分野】
本発明は、パンティ部とレッグ部とを立体縫編みとしたサポートタイプのパンティストッキングに関する技術である。
【０００２】
【従来の技術】
図８は、パンティ部を立体縫編みとした従来からあるサポートタイプのパンティストッキングの一例を示す右側面図であり、パンティストッキング１におけるパンティ部２は、タック編みからなるつなぎ部５を介在させた腹面覆い部３とヒップ面覆い部４とで形成されている。なお、図中の符号２ａバンド部を、２ｂは股部を、６は鼠径面側覆い部を、７はレッグ部を、８は踵部を、９は爪先部をそれぞれ示す。
【０００３】
このうち、腹面覆い部３は、弾性糸と通常糸とを用い、かつ、通し糸により裏側にパイルが形成されるようにして編成されている。
【０００４】
また、ヒップ面覆い部４は、腹面覆い部３に通された通し糸を編み糸として弾性糸と通常糸とに加え、編み目を増加させるように編むとともに、ヒップ面覆い部３からの編み目の切替え線Ｋが略パンティラインに沿った斜め（体軸線Ｌに交差する）方向に形成される状態で編成することにより、ヒップラインに沿わせた立体縫編みとなって形成されている。
【０００５】
このため、上記パンティストッキング１によれば、身体の線を美しく整えることができるガードル機能が得られるほか、パンティラインを消しつつヒップラインにフィットさせることもできるので、好ましい着心地を得ることができる。また、腹面覆い部３の裏面に形成されたパイルは、着用者に対しソフトな感触のほか、通気性と保温性とに富む着心地を与えることができる。
【０００６】
【発明が解決しようとする課題】
しかし、従来からあるパンティストッキング１による場合には、ヒップアップしたより美しいヒップラインを得る観点からは未だ改善の余地があったばかりでなく、着用時のずり落ち防止の確実性においても不十分な点のある不都合があった。
【０００７】
また、腹面覆い部３に付与されている保温効果も必ずしも十分であるとはいえず、より優れた保温性とサポート機能とを得る上で未だ構造的な改良の余地を残すものであった。
【０００８】
本発明は、従来技術にみられた上記課題に鑑み、体形を整えるガードル機能に優れているばかりでなく、その着用時に腹部に対する優れた保温性と、より美しいヒップラインとを確実、かつ、安定的に得られるようにしたパンティストッキングを提供することに目的がある。
【０００９】
【課題を解決するための手段】
本発明は、上記目的を達成すべくなされたものであり、周回配置されたバンド部をその上縁部に有するパンティ部と、該パンティ部の股部側から一体となって各別に延設された一対のストッキング部とからなるパンティストッキングにおいて、前記パンティ部は、前記股部を除く比較的広幅な下側全面領域をマイクロメッシュ編み組織からなる鼠径面側覆い部とし、該鼠径面側覆い部の上側前面領域を特殊パイル編み組織からなる腹面覆い部とし、同上側後面領域の縦方向での中心部を除く残余領域をヒップラインに沿わせた立体縫編み組織からなるヒップ面覆い部とし、これら腹面覆い部とヒップ面覆い部との各境界領域をタック編み組織からなるの側面帯状部とするとともに、ヒップ面覆い部の前記中心部をシーマミシン目と、該シーマミシン目の左右両側に並列させたタック編み組織からなる後面帯状部とで形成し、これら後面帯状部と前記側面帯状部の間に位置する前記ヒップ面覆い部の周方向にシャーリング部を付設したことに構成上の特徴がある。
【００１０】
この場合、前記パンティ部の上縁部は、後端側の位置が前端側の位置よりも高くなるように前傾する傾斜を付与して形成するのが好ましい。また、一対の前記ストッキング部は、それぞれの踵部と爪先部とを透明感に優れたナイロン生糸により編成するのが望ましい。
【００１１】
【発明の実施の形態】
図１は、本発明の一例についての着用状態での斜視図を、図２は、ストッキング部側を省略した状態での非着用状態での背面図をそれぞれ示す。
【００１２】
これらの図によれば、パンティストッキング１１は、周回配置されたバンド部１３をその上縁部１２ａに有するパンティ部１２と、該パンティ部１２の股部１４側から一体となって各別に延設された一対のストッキング部４２，４２とでその全体が形成されている。
【００１３】
そして、パンティ部１２は、股部１４を除く比較的広巾な下側全面領域を鼠径面側覆い部１５とし、該鼠径面側覆い部１５の上側前面領域を腹面覆い部１６とし、同上側後面領域の縦方向での中心部１９を除く残余領域をヒップラインに沿わせた立体縫編みのヒップ面覆い部１７とすることで形成されている。
【００１４】
このうち、鼠径面側覆い部１５は、着用時のずり落ちを防止するとともに、ヒップを寄せて引き上げる機能を付与するために、例えば非着用時の縦幅が幅広な略７．５ｃｍ程度となったマイクロメッシュ編み組織により編成されている。
【００１５】
この場合のマイクロメッシュ編みは、例えば図３に示すようにポリウレタン弾性糸５２にナイロン糸５３，５４を交差方向に重ね巻きして形成されるた２本のダブルカバリングヤーン（ＤＣＹ）２４と、図示しない２本のウーリーナイロン糸とを用いるなどした４口編みの編み組織で編成されている。
【００１６】
腹面覆い部１６は、好ましい保温効果とサポート効果とを得るために特殊パイル編みにより編成されている。この場合、特殊パイル編みは、２本のダブルカバリングヤーン（ＤＣＹ）と、１本の遠赤外線糸（例えばカネボウの「マソニック糸（商品名）」等、以下同じ）とを用いた３口編みからなるリブ編みと、該リブ編みを図４に示すように地組織２６として、１本のパイル糸１０４を用いたパイル編み組織２５とを併用して裏側に輪状のパイル２７を立たせることにより編成されている。
【００１７】
ヒップ面覆い部１７は、２本のダブルカバリングヤーン（ＤＣＹ）と、２本のウーリーナイロン糸（遠赤外線糸とパイル糸１０４）を用いた４口編みからなるタック編みとプレーン編みとを混在させた編み組織となって編成されている。
【００１８】
すなわち、腹面覆い部１６とヒップ面覆い部１７とのうち、腹面覆い部１６は、図５の左側面側に示されているように、弾性糸である２本のダブルカバリングヤーン（ＤＣＹ）１０１，１０２と、１本の遠赤外線糸１０３とを用いた実質的な３口編みとなっており、他の１本のウーリーナイロン糸からなるパイル糸１０４は通し糸として用いられており、この通し糸（パイル糸１０４）で裏側に図４に示すようなパイル２７が形成されている。
【００１９】
この場合、２本のダブルカバリングヤーン（ＤＣＹ）１０１，１０２と１本の遠赤外線糸１０３とが重なり合う重畳部１０６にてパイル糸１０４によりパイル２７がその裏側（腹部当接面側）に一列おき、つまり１対１の割合で形成されることになる。
【００２０】
また、腹面覆い部１６から切り替わるヒップ面覆い部１７は、図５の右側面側に示されているように通し糸（ウーリーナイロン糸からなるパイル糸１０４）が編み糸として用いられる４口編みとなって、２本のダブルカバリングヤーン（ＤＣＹ）１０１，１０２と、２本のウーリーナイロン糸１０３，１０４とでプレーン編みされたプレーン編み列１０７と、２本のウーリーナイロン糸１０３，１０４がつまみ編みされたタック編み列１０８とが交互に形成される編み組織となって編成されている。
【００２１】
また、これら腹面覆い部１６とヒップ面覆い部１７とにあって人体腰部の左側面と右側面とに位置することになる各境界領域は、縫い目糸抜け防止を図ったタック編みの側面帯状部１８として形成されている。
【００２２】
さらに、ヒップ面覆い部１７の中心部１９は、例えば３ｃｍにつき４０針というように縫い目を詰めて糸抜けを防止したシーマミシン目２０と、該シーマミシン目２０の左右両側に対となって並列させて縫い目糸抜け防止を図ったタック編みの後面帯状部２１，２１とで形成されている。
【００２３】
図６は、上記側面帯状部１８と一対の後面帯状部２１，２１との編み組織を示すものであり、弾性糸である２本のダブルカバリングヤーン（ＤＣＹ）１１１，１１２と、２本のナイロン糸１１３，１１４とが用いられ、そのうちの１本のナイロン糸１１４がつまみ編み（タック編み）されたプレーン編みの編み組織で編成されている。
【００２４】
しかも、これら後面帯状部２１と側面帯状部１８の間に位置するヒップ面覆い部１７には、リブ編み地を間隔をおいて何本か縫い縮めることで周方向へと向かう波状の襞、つまりシャーリング部２２が設けられている。
【００２５】
なお、パンティ部１２の上縁部１２ａは、着用時におけるパンティ部１２のずり落ちをより確実に阻止するため、バンド部１３の後端１３ａ側の位置が前端１３ｂ側の位置よりも高くなるように前傾させた傾斜を付与して形成しておくのが望ましい。
【００２６】
一方、一対のストッキング部４２，４２は、例えば足首部位にかかるサポート圧が２６ヘクトパスカル（ｈｐａ）で、ふくらはぎ部位にかかるサポート圧が１６ヘクトパスカル（ｈｐａ）で、大腿部位にかかるサポート圧が１２ヘクトパスカル（ｈｐａ）となるように、足裏部４４から足首部４５を経て大腿部４６へと至るレッグ部４３を、上に向かって次第に緩やかに編み分けた、多段階マイクロメッシュ編みにより編成されている。
【００２７】
この多段階マイクロメッシュ編みは、図７に示されているように弾性糸である２本のダブルカバリングヤーン（ＤＣＹ）１２１，１２２と、図６のナイロン糸１１３，１１４よりも細径な２本のナイロン細糸１２３，１２４とを用いて編成されている。
【００２８】
また、ストッキング部４２におけるそれぞれの踵部４７と爪先部４８とは、透明感に優れたナイロン生糸を用いたプレーン編みにより編成されている。
【００２９】
次に、上記構成からなる本発明の作用を説明すれば、着用時におけるパンティ部１２は、その腹面覆い部１６の裏側に形成されているパイル２７を介することで人体腹部に対し空気層を伴って密着させ、かつ、編み込まれた遠赤外線糸から得られる遠赤外線効果とも相俟って優れた保温効果とサポート効果とを発揮させることができる。
【００３０】
また、ヒップ面覆い部１７は、シャーリング部２２を設けた立体縫編みで編成されており、さらに、広幅な鼠径面側覆い部１５により下支えされた支援状態のもとでヒップが寄せて引き上げられる結果、ヒップアップされた美しいラインを形成することができる。
【００３１】
さらに、パンティ部１２は、上述したように遠赤外線効果を有しているので、冷えやむくみの原因のひとつである血行不良をなくし、血流の促進によりもたらされる自然治癒力の向上を図ることができる。
【００３２】
しかも、鼠径面側覆い部１５は、その着用時に人体鼠径面側に広幅な面として密着される結果、より好ましいずり落ち防止効果を発揮させることができる。
【００３３】
一方、一対のストッキング部４２，４２は、多段階マイクロメッシュ編みにより編成されているので、耐久性に富ませることができるほか、着用時の脚にスレンダーな曲線美と疲労を和らげる心地よい緊張感とを付与することができる。
【００３４】
さらに、ストッキング部４２は、それぞれの踵部４７と爪先部４８とがナイロン生糸を用いたプレーン編みにより編成されているので、優れた透明感を得ることができる。
【００３５】
以上は、本発明をあくまでも図示例に従って説明したものであり、その内容はこれに限定されるものではない。例えば、本発明で用いられる弾性糸は、ポリウレタン糸に１本のナイロン糸を巻き付けたシングルカバーリングヤーン（ＳＣＹ）のほか、適宜の素材からなる弾力性のある糸を用いることができる。また、鼠径面側覆い部１５の縦幅は、略７．５ｃｍ程度を基準にこれを所望に応じ拡縮することもできる。さらに、遠赤外線糸は、所望に応じ適宜の部位に位置する編み組織に採用することができる。
【００３６】
【発明の効果】
以上述べたように本発明によれば、パンティ部からは、その腹面覆い部により好ましい保温効果とサポート効果とを得ることができるほか、鼠径面側覆い部の支援を受けたヒップ面覆い部によりその着用時にヒップアップされた美しいラインを形成することができ、さらには遠赤外線効果に伴う血流の促進により自然治癒力の向上をも同時に図ることができる。
【００３７】
しかも、鼠径面側覆い部は、その着用時に人体鼠径面側に広幅な面として密着される結果、より好ましいずり落ち防止効果を発揮させることができる。
【００３８】
一方、一対のストッキング部は、多段階マイクロメッシュ編みにより編成されているので、耐久性に富ませることができるほか、着用時の脚にスレンダーな曲線美と疲労を和らげる心地よい緊張感とを付与することができ、さらには、それぞれの踵部と爪先部とをナイロン生糸を用いたプレーン編みで編成してあるので、優れた透明感を得ることができる。
【図面の簡単な説明】
【図１】本発明の一例を着用状態のもとで示す斜視図。
【図２】図１に示す例についてストッキング部側を省略した非着用状態のもとで示す背面図。
【図３】ダブルカバリングヤーンの構造を拡大して示す説明図。
【図４】腹面覆い部のパイル構造を拡大して示す説明図。
【図５】腹面覆い部とヒップ面覆い部との編み組織の一例を示す説明図。
【図６】側面帯状部と後面帯状部との編み組織の一例を示す説明図。
【図７】レッグ部の編み組織の一例を示す説明図。
【図８】従来からあるパンティストッキングの一例を示す説明図。
【符号の説明】
１１　パンティストッキング
１２　パンティ部
１２ａ　上縁部
１３　バンド部
１４　股部
１５　鼠径面側覆い部
１６　腹面覆い部
１７　ヒップ面覆い部
１８　側面帯状部
１９　中心部
２０　シーマミシン目
２１　後面帯状部
２２　シャーリング部
２４　ダブルカバリングヤーン
２５　パイル編み組織
２６　地組織
２７　パイル
４２　ストッキング部
４３　レッグ部
４４　足裏部
４５　足首部
４６　大腿部
４７　踵部
４８　爪先部
５２　ポリウレタン弾性糸
５３，５４　ナイロン糸
１０１，１０２　ダブルカバリングヤーン
１０３　遠赤外線糸
１０４　パイル糸
１０６　重畳部
１０７　プレーン編み列
１０８　タック編み列
１１１，１１２　ダブルカバリングヤーン
１１３，１１４　ナイロン糸
１２１，１２２　ダブルカバリングヤーン
１２３，１２４　ナイロン細糸
【図１】
2004044004.tif 000003
【図２】
2004044004.tif 000004
【図３】
2004044004.tif 000005
【図４】
2004044004.tif 000006
【図５】
2004044004.tif 000007
【図６】
2004044004.tif 000008
【図７】
2004044004.tif 000009
【図８】
2004044004.tif 000010